(57)【要約】      （修正有）【課題】  写真やスケッチ、書籍などから絵画原画を選び、図案を作成し、色彩布片で作るモザイクで表現する絵画の作成。【解決手段】  透明又は半透明のシート（２）の粘着面に色彩布片の接着剤層面を貼り付けて絵画ブロックを作成し、その上に、別の粘着強度の強い、透明又は半透明のシート（１）を重ね、シート（２）を剥離し、シート（１）に転写した絵画ブロックを、衣類や布地、画用紙、木製品などに熱圧着する。【選択図】      図３
2006315384.tif 000002
【特許請求の範囲】
【請求項１】
片面に接着強度の異なる粘着層を有する透明又は半透明のシート（１）、（２）を使用する事を特徴としたモザイク絵画の作成方法。
【請求項２】
裏面に接着剤層を有する色彩布地を裁断して多形の色彩布片を作成し、絵画図案の上に、片面に粘着層を有する透明又は半透明のシート（２）の非粘着面を重ね、絵画図案に沿って色彩布片の接着剤層面を、シートの上に貼り付けし、絵画ブロックを作成する。別の片面に粘着層を有する透明又は半透明のシートの粘着層面を、作成した絵画ブロックの上から重ね、シート（１ａ）に転写させた絵画ブロックを、衣類や布地、画用紙、木製品などに、熱圧着して作成する事を特徴とする請求項１のモザイク絵画の作成方法。
【請求項３】
裏面に接着剤層を有する色彩布地を、帯状形、丸形、楕円形、四角形、多角形、楕円形、菱形、星形、木の葉形、その他の形状に裁断した色彩布片を使用して、作成する事を特徴とした請求項１記載のモザイク絵画の作成方法。
【発明の詳細な説明】
【技術分野】
【０００１】  本発明は、衣類などの布地、画用紙などの紙類、木製品などに、片面に接着層を有する色彩布片を用いて描くモザイク絵画の作成方法に関する。
【背景技術】
【０００２】  モザイクは、画用紙などの台紙に多色彩の紙片を糊で貼り合せ、絵画を作成するちぎり絵があり、また、その材料に、ビーズ、タイル等の焼物、プラスチック、金属片を使用してさまざまな基材に接着剤で貼りつけ、また糸で縫いつける方法がある。布地片などを縫い合わせたキルトや、布地を使用したものではパッチワークは、モザイク絵画の一種でもあり、手芸として広く普及している。裏面に接着剤層を有し、熱圧着する布地は、キャラクターや文字の形に切ったワッペン状のアップリケ装飾が市販されている。
色彩布地は裏面に予め乾燥状の接着剤が塗布してあり、強い接着強度で洗濯しても剥がれにくいカラーシートに代表される。カラーシートは、公知の化学繊維であって、ナイロン系の繊維やラバー系の素材からなる。それらを目的のチーム名や背番号などのデザインに切り抜き、野球、バスケット、バレーボール等のユニフォームやシャツ等に業務用プレス機で熱圧着する。
透明又は半透明のシートは、複数個からなる上記デザインをレイアウトし、そのバランスを保持してユニフォームやシャツ等に熱圧着するために、シートの粘着面をその上に当て、接着し、一体化させて、業務用プレス機で熱圧着する際に使用される。
【発明の開示】
【発明が解決しようとする課題】
【０００３】  裏面に接着剤層を有する色彩布片を、衣類や布地、紙類、木製品などに熱圧着にて接着するためには、以下の方法が考えられる。
第一の方法は、色彩布片の接着剤層面に、糊や接着剤を塗布、もしくは、色彩布片を衣類や布地、紙類、木製品などに熱圧着する対象物面に、予め糊や接着剤を塗り、そこに色彩布片の接着剤層面を仮止めした後に熱具などで熱圧着する方法は、モザイク絵画を作成していく過程で、指先に糊などが付着して色彩布片が皺になるなど扱いに苦慮する。また、熱圧着する対象物面に色彩布片の側面同士を貼り合わせた時に、その間から糊が滲み出し、埃などが付着し、作品の仕上がりが汚くなる。しかも、色彩布片を絵画図案と同位置に仮止めするには、図案を見ながら目測で貼る作業のため、その位置を同じくすることは難しい。
第二の方法は、色彩布片の接着剤層面を、一つずつ、コテなどの熱具で衣類や布地、紙類、木製品などに当て、熱圧着する方法は、特に細かい絵画図案の場合、色彩布片は微細となり、しかも、熱具を使うため、やけどをする危険性もある。そして、第一の方法と同じく、目測のため色彩布片と絵画図案との位置のズレが生じる。
第三の方法は、透明又は半透明の片面に粘着層を有するシートを使用した場合、色彩布片の表側のカラー繊維面、すなわち非接着剤層面（３）を、絵画図案の上に置いた透明又は半透明のシートの粘着面に貼って作品の絵画ブロックを作成し、衣類や布地、紙類、木製品などに熱圧着した際、図案の方向と左右が逆になり、文字などは反転文字となる。しかも、色彩布片に塗布してある乾燥状の接着剤は白濁しているために、色彩布片の表側、すなわち、カラー繊維面の色調を確認することが出来ず、近似色の色彩布片を選択する場合、特に、同系統色の別は分かり難く、完成後の選択した色調と異なるという不具合が生じる。【０００４】  裏面に接着剤層を有し、布地に接着するものには、衣服に接着するアップリケ装飾に代表される。販売されているアップリケ装飾は、単に接着するのみで、しかも既製のデザインの中から選択を余儀なくされ、オリジナル性に欠け、仕上がりが平面的となる。しかも、洗濯により剥離しやすいという問題がある。【０００５】  本発明は、前述のような問題点を解決するために、写真やスケッチ、書籍などから絵画原図を選び、図案を作成し、色彩布片で作る斬新性に富んだ立体感があり、色彩の豊かな独特のモザイクで表現する絵画の作成を可能とした。
【課題を解決するための手段】
【０００６】  上記の目的を達成するための手段を説明すると、この発明は、裏面に乾燥状の接着剤層を有する色彩布地を裁断して色彩布片を作成し、絵画図案の上に、片面に粘着層を有する、透明又は半透明のシート（２）の非粘着面を重ね、シートを通して目視した絵画図案の上に沿って、色彩布片の接着剤面（３ａ）、（４ａ）を、シートの粘着層面（２ａ）の上に貼り付けし、絵画ブロックを作成する。別の粘着層を有する、透明又は半透明のシート（１）の粘着面（１ａ）を作成した絵画ブロックの上から重ねる。次にシート（２）を剥離し、シート（１ａ）に転写した絵画ブロックを、衣類や布地、紙類、木製品などに熱圧着して作成するモザイク絵画である。
【発明の効果】
【０００７】  選択した絵画図案の上に重ねた、透明又は半透明のシートに、選択した色彩布片を貼っていく創作過程を楽しみながら、誰でもが簡単に、立体感があり、衣類や布地、紙類、木製品などに熱圧着して、色彩の豊かな斬新性に富んだモザイク絵画を作成することができる。【０００８】  本発明に使用する色彩布片は、接着剤層を有する特性から、絵画ブロックを額絵などに飾った後に、衣服や布地に熱圧着してアップリケ装飾とするなど、同じ絵画でも複数回楽しむことができるアートと実用性を伴ったモザイク絵画である。額絵にする場合は、透明のシートを用い（１）と（２）の間に挟み込んだ絵画ブロックの状態で飾り、アップリケ装飾にする場合は、シート（２）を剥がし、衣類や布地などにアイロン等で熱圧着すれば良い。【０００９】  下絵を選び、好みの前述の色彩布片を選択して作成する過程において、作品の完成時の想像力を高め、色調や図形に対する感性を養え、絵画への興味を抱かせるなど、学習用絵画の新たな教材としてモザイク絵画の作成方法を提供するものである。
【発明を実施するための最良の形態】
【００１０】  絵画図案に重ねた透明又は半透明のシート（２）の粘着面に色彩布片の接着剤層面を、図案に沿って貼り付けて絵画ブロックを作成し、その上に、別の粘着強度の強い、透明又は半透明のシート（１）を重ね、シート（２）を剥離して絵画ブロックをシート（１）に転写し、その絵画ブロックを衣類や布地、画用紙、木製品などに熱圧着する。
【実施例】
【００１１】  以下、本考案のモザイク絵画について、図面を参照しつつ詳細に説明する。
図１は、本発明のモザイク絵画ブロックを衣服に接着した状態を示す正面図で、本発明での絵画原図には、木立に降る雪、の風景を例題に選び、大地や木の幹には帯形状、葉には菱形状、雪には、丸形状の色彩布片を用いている。
図案は、写真、イラスト、文字等の絵画原図（図８）から選び、それらの上にトレーシングペーパー等の透けて見える用紙を重ね、選択する色彩布片の形にアレンジして描き、図案（図９）を作成する。【００１２】  図２は、図案（図９）の上に片面に粘着層を有する透明又は半透明シートの非粘着面（２）を重ね、そのシートの粘着面（２ａ）に色彩布片（３）の接着剤層面（３ａ）を絵画原図に沿って貼り付け、絵画ブロックを作成した状態を現した、図６中Ａ−Ａ線に沿った拡大断面図である。【００１３】  透明又は半透明シートは、約３０ミクロン厚みで、アイロンなどの熱具の温度に耐えられる素材であって、本発明では、粘着強度の異なる（１）、（２）、のシートを使用する。【００１４】  色彩布片を、透明又は半透明シート（２）に重ねた下の絵画図案に沿ってシートの粘着面（２ａ）に貼り付けることで、作成過程に置いた色彩布片が、その粘着効果で固定され、動くことなく、図案と同位置へ正確に貼り付け作業をすすめていくことを可能とした。【００１５】  本発明の図案中で、前述の、木立に降る雪、の風景を題材にして説明しているが、雪のように分散している図案の場合でも、前述のシートに貼り付けることで、特に花火のような無数に点在する図案であっても、色彩布片を容易に図案と同位置に正確に貼り付けることができる。【００１６】  色彩布片の裏面に塗布した接着剤層面（３ａ）、（４ａ）は、その接着剤により白濁しているが、転写の工程を行うことで色彩布片の白濁面、すなわち接着剤層面をシートの粘着面（２ａ）に貼り付ける事を可能とした。そのため色彩布片の表側のカラー繊維面を目視しながら、その作業を進められるため、近似色の色彩布片の識別が容易となり、モザイク絵画の完成時の色調が図案の通りとなる。【００１７】  図３は、図２で作成した絵画ブロックを透明又は半透明シート（１）の粘着面（１ａ）に転写するために、絵画ブロック上に重ねた状態を現した拡大断面図である。シート（１）の粘着面（１ａ）を絵画ブロック面に押し当て、シート（２）を剥がせば、シート（１）の粘着面強度はシート（２）の粘着強度より強く、絵画ブロックのカラー繊維面がシート（１）の粘着面（１ａ）に転写される。【００１８】  次に、シート（１）の粘着層面（１ａ）に転写した絵画ブロックを、衣類や布地、画用紙、木製品などに熱圧着する。
衣服や布地類への熱圧着には、コテや家庭用アイロンなどの熱具を使用する。熱具の温度は１２０〜１８０℃、好ましくは１５０℃とし、熱具は横に滑らして使用すると色彩布片が動き、絵画ブロックが崩れる原因となるので、上下に動かしながら圧着する。【００１９】  上記、熱圧着後、衣類や布地、画用紙、木製品などに余熱が残った状態でシート（１）を剥がすと、絵画ブロックの一部分がシートに付着し、転写が完全にできないことが生じる。完全に冷えた後に、シート（１）を剥がすことで、本発明のモザイク絵画の完成となる。【００２０】  図４は、色彩布片の斜視図である。色彩布片は裏面に乾燥状の接着層を有する長尺巻き、又は約５０センチ角位の大きさのカラーシートを、帯状形、丸形、楕円形、四角形、多角形、菱形、楕円形、木の葉形、星形、その他の形状に裁断、色彩布片を作成し、本考案のモザイク絵画の材料とする。
図５は、本発明の図案中の、雪を表現した丸形に裁断した色彩布片の斜視図である。図２で、色彩布片（４）の接着剤面（４ａ）を、図案の上のシート（２ａ）に貼り付ける。また、木立に積もった雪の表現には、色彩布片（３）で作成した木立の絵画ブロックの上に熱具を用い、色彩布片（４ａ）を貼り付ければ、木立の絵画ブロックと雪の部分が重なり立体感を表現できる。色彩布片を３重以上に重ねた作品を衣類などに熱圧着した場合、洗濯時に剥がれる恐れが生じるので適さないが、額絵などに飾る場合はこの限りではない。【００２１】  図７は、モザイク絵画の図案の上に粘着シート（２）の非粘着面（２ａ）を重ねた正面図で、図案と粘着シートが動かない様にテープ（７）などで固定をする。【００２２】  図案の中で絵画の輪郭を鮮明に表現する方法としては、例えば、図１０のようなハート形の様な図案に、色彩布片を図案の周囲より大きめにシートの粘着面（２ａ）に貼り付けて絵画ブロックの原形（６ａ）を作成し（図１１）、その上にシート（１ａ）を重ねる。次に、図案（８）、シート（２）、絵画ブロック原形（６ａ）、シート（１）に重ねた同士を、鋏などで図案（８）の周囲を切り、シート（２）を剥がして、シート（１）に転写した絵画ブロックを衣類や布地、画用紙、木製品などに熱圧着する。図案は透けて見えるトレーシングペーパーに描き、それの周囲を切り取る。前述のように、図案の周囲を切る作業をするために、図案はテープや糊でシート（２）にしっかりと固定してから作品にとりかかる。【００２３】  上記、図案の輪郭を表現した色彩布片を作品の中にとり入れて描写し、また、作者や題名を明記するなど、作品に変化をもたせることもできる。
【産業上の利用可能性】
【００２４】  この発明は接着剤層を有する、多形、多色彩の布片で描く絵画の手法であって、額絵や絵画教材として、また、作品を衣類や布地へのアップリケ装飾として実用性も兼ねた、モザイク絵画の作成に関するものである。
【図面の簡単な説明】
【００２５】
【図１】衣類に絵画ブロックを接着した状態を示した正面図である。
【図２】粘着シートに色彩布片を貼り付けた状態の、図６中Ａ−Ａ線を示した拡大断面図である。
【図３】図２中の絵画ブロック上に粘着シートを貼り付けた状態を示した拡大断面図である。
【図４】色彩布片を示した斜視図である。
【図５】色彩布片を示した斜視図である。
【図６】粘着シートに色彩布片を貼り付けた状態を示した正面図である。
【図７】図案にシートを重ねた状態を示した正面図である。
【図８】絵画原図を示した正面図である。
【図９】図案を示した正面図である。
【図１０】図案を示した正面図である。
【図１１】図１０中の図案の上の粘着シートに帯状の色彩布片を貼り付けた状態を示した正面図である。
【符号の説明】
【００２６】１      粘着シートの非粘着面
１ａ    粘着シートの粘着面
２      粘着シートの非粘着面
２ａ    粘着シートの粘着面
３      色彩布片のカラー繊維面
３ａ    色彩布片の接着剤塗布面
４      色彩布片のカラー繊維面
４ａ    色彩布片の接着剤塗布面
５      衣類
６      絵画ブロック
６ａ    絵画ブロック原形
７      固定テープ
８      図案
【図１】
2006315384.tif 000003
【図２】
2006315384.tif 000004
【図３】
2006315384.tif 000005
【図４】
2006315384.tif 000006
【図５】
2006315384.tif 000007
【図６】
2006315384.tif 000008
【図７】
2006315384.tif 000009
【図８】
2006315384.tif 000010
【図９】
2006315384.tif 000011
【図１０】
2006315384.tif 000012
【図１１】
2006315384.tif 000013